(57)【要約】  【課題】裁断されるべきでない物がシュレッダーの細断刃の方向に引き込まれようとする際に、瞬時に引き抜くことができるようにする。  【解決手段】投入口３に向かう壁面を構成する壁面部材１０を、ロック部材２０を介してハウジング本体４に取り付けてなるシュレッダー２の投入口構造１において、壁面部材に階段部１６を設け、ロック部材に階段部の段差に係止可能な係止部２２を設け、壁面部材に対し通路９を拡幅させる方向に外力が加えられることによって、壁面部材とロック部材との嵌合状態を維持しつつ、階段部の段差が係止部に係止するように構成する。作業者の指が投入口に挿入された場合、壁面部材に所定値以上の外力が加わるので、通路が拡幅され、指を引き抜きやすくなる。【選択図】図１
2008114193.tif 000002
【特許請求の範囲】
【請求項１】
投入口（３）に向かう壁面を構成する壁面部材（１０）を、ロック部材（２０）を介してハウジング本体（４）に取り付けてなるシュレッダー（２）の投入口構造（１）において、
前記壁面部材（１０）又は前記ロック部材（２０）の何れか一方に複数の段差を有する階段部（１６）を設け、他方に、前記階段部（１６）の段差に係止可能な係止部（２２）を設け、
前記壁面部材（１０）に対して、細断刃（５）に向かう通路（９）を拡幅させる方向に所定の外力が加えられることによって、前記壁面部材（１０）と前記ロック部材（２０）との嵌合状態を維持しつつ、前記階段部（１６）の段差が前記係止部（２２）と係止するように構成したことを特徴とするシュレッダーの投入口構造。
【請求項２】
前記階段部（１６）を、前記壁面部材（１０）の裏面部に設け、
該階段部（１６）の近傍に設けられた凹部（１５）に、前記ロック部材（２０）に設けられた凸部（２１）が収容されることによって前記壁面部材（１０）と前記ロック部材（２０）とが嵌合されるように構成したことを特徴とする請求項１に記載のシュレッダーの投入口構造。
【請求項３】
前記階段部（１６）を、前記壁面部材（１０）が取り付けられている側から投入口（３）の側に向けて突出高さが高くなるように構成し、
前記壁面部材（１０）がハウジング本体（４）に取り付けられた初期状態において、前記壁面部材（１０）が取り付けられている側に位置する始段部に前記係止部（２２）が係止されるように構成したことを特徴とする請求項２に記載のシュレッダーの投入口構造。
【請求項４】
前記ロック部材（２０）を、前記凸部（２２）を上方に向けた状態で前記ハウジング本体（４）の側壁面に配設し、前記凸部（２２）が前記壁面部材（１０）の凹部（１５）に収容されることによって該壁面部材（１０）によってハウジングの上面が構成されることを特徴とする請求項２又は請求項３に記載のシュレッダーの投入口構造。
【請求項５】
前記壁面部材（１０）と前記ロック部材（２０）との嵌合状態を解除するロック解除手段（２４，３０）を設けたことを特徴とする請求項1〜４の何れか１つの請求項に記載のシュレッダーの投入口構造。
【請求項６】
前記ロック解除手段（２４，３０）を、前記ハウジング本体（４）と前記ロック部材（２０）との間に介装されて、前記ロック部材（２０）を前記壁面部材（１０）の方向に付勢する弾性部材（３０）によって構成すると共に、該弾性部材（３０）による付勢力を解除するための操作部（２４）を設けたことを特徴とする請求項５に記載のシュレッダーの投入口構造。
【請求項７】
前記ハウジング本体（４）に形成された被細断物の導入面（４１）と対向配置されることによって所定幅の通路（９）を形成する通路面（１４）を、前記壁面部材（１０）の裏面に形成したことを特徴とする請求項１〜６の何れか1つの請求項に記載のシュレッダーの投入口構造。
【発明の詳細な説明】
【技術分野】
【０００１】
本発明は、紙やコンパクトディスク等のシート材を細かく裁断するためのシュレッダーに適用される投入口構造に関し、特に、裁断されるべきでない物が細断部に引き込まれようとする際に、引き抜くことを可能とすることで、投入口における怪我の発生を防止できるシュレッダーの投入口構造に関する。
【背景技術】
【０００２】
シュレッダーの投入口に、誤って指を入れることによる怪我の発生を防止するため技術として、例えば、シュレッダーの投入口の近傍に人や動物の存在を検知する近接センサを設ける技術が開示されている（特許文献１参照）。
また、カッターに噛み込まれた被細断物を抜き取り易くする技術として、カッター部へと向かう案内路の途中に、投入口の側に向けて案内板を配設することによって、送り方向の開口幅を戻り方向の開口幅よりも狭くする技術が開示されている（特許文献２参照）。
【特許文献１】特開２００５−９５８９８
【特許文献２】特開２００１−９３１２
【発明の開示】
【発明が解決しようとする課題】
【０００３】
しかしながら、特許文献１に開示の技術には、人や動物などの細断されるべきでないものと、細断されるべき物とを区別して検知できる近接センサが必要である上に、センサの配設位置によっては、被細断物を差し込む際の作業者の手などにも反応してしまい、裁断作業に支障を来す虞がある。
【０００４】
特に、被細断物が挿入されると同時に自動的に回転刃が回転する構成のシュレッダーにおいては、被細断物の挿入を検知するセンサが別個に必要になるので、それぞれのセンサの性能や構造が複雑化する上に、取り付け位置の調節が難しいという問題を有する。このため、製造コストが嵩み、商品価格が高くなるので、家庭用のシュレッダーとして普及させるには難しい。
【０００５】
また、特許文献２に開示の技術では、被細断物の送り方向への移動を停止させた後に引き抜く場合は効果的ではあるが、移動中の被細断物を瞬時に引き抜こうとする場合は、拡幅され難い。このため、作業者の指などが被細断物と共にシュレッダーの内部に引き込まれそうになった際に、瞬時に引き抜くことが難しく、細断刃へと向かってしまう可能性がある。
【０００６】
そこで、本発明は、裁断されるべきでない物がシュレッダーの細断刃の方向に引き込まれようとする際に、瞬時に引き抜くことを容易にするシュレッダーの投入口構造の提供を目的とする。
【課題を解決するための手段】
【０００７】
上記課題を解決するために、投入口に向かう壁面を構成する壁面部材を、ロック部材を介してハウジング本体に取り付けてなるシュレッダーの投入口構造において、前記壁面部材又は前記ロック部材の何れか一方に複数の段差を有する階段部を設け、他方に、前記階段部の段差に係止可能な係止部を設け、前記壁面部材に対して、細断刃に向かう通路を拡幅させる方向に所定の外力が加えられることによって、前記壁面部材と前記ロック部材との嵌合状態を維持しつつ、前記階段部の段差が前記係止部と係止するように構成したことを特徴とするものである。
【０００８】
この場合、前記階段部を、前記壁面部材の裏面部に設け、該階段部の近傍に設けられた凹部に、前記ロック部材に設けられた凸部が収容されることによって前記壁面部材と前記ロック部材とが嵌合されるように構成してもよい。
また、前記階段部を、前記壁面部材が取り付けられている側から投入口の側に向けて突出高さが高くなるように構成し、前記壁面部材がハウジング本体に取り付けられた初期状態において、前記壁面部材が取り付けられている側に位置する始段部に前記係止部が係止されるように構成してもよい。
【０００９】
また、前記ロック部材を、前記凸部を上方に向けた状態で前記ハウジング本体の側壁面に配設し、前記凸部が前記壁面部材の凹部に収容されることによって該壁面部材によってハウジングの上面が構成されるようにしてもよい。
また、前記壁面部材と前記ロック部材との嵌合状態を解除するロック解除手段を設けてもよい。
【００１０】
この場合、前記ロック解除手段を、前記ハウジング本体と前記ロック部材との間に介装されて、前記ロック部材を前記壁面部材の方向に付勢する弾性部材によって構成すると共に、該弾性部材による付勢力を解除するための操作部を設けてもよい。
さらに、前記ハウジング本体に形成された被細断物の導入面と対向配置されることによって所定幅の通路を形成する通路面を、前記壁面部材の裏面に形成してもよい。
【発明の効果】
【００１１】
請求項１に係る発明は、シュレッダーの投入口に向かう壁面を構成する壁面部材を、ロック部材を介してハウジング本体に取り付けたものであり、壁面部材又はロック部材の何れか一方に複数の段差からなる階段部を設け、他方に前記階段部の段差に係止可能な係止部を設けたので、壁面部材に加わる外力が小さい場合は段差との係止状態が維持され、所定値以上の外力が加わることによって夫々の段差を係止部が跳び越えながら係止していくようにできる。これによって、シート状の被細断物が投入された場合は初期状態が維持され、厚みのある物が投入された場合は、壁面部材に所定値以上の外力が加わり、通路が拡幅される方向に変位する。
【００１２】
このため、作業者の指やシュレッダーの裁断能力を超えたシート材が挿入された場合、壁面部材が変位されて通路が拡幅されるので、細断部に引き込まれようとする被細断物を、瞬時に容易に引き抜くことができる。
この際、壁面部材とロック部材との嵌合が維持された状態なので、指などを勢いよく挿入させた場合であっても、通路が過度に拡幅されることがなく、指などが細断刃の方に進入するのを防止できる。
このように、指などの裁断されるべきでないものが投入口に投入されてしまった場合、引き抜くのに必要な分だけ通路の幅が拡がって、指などを瞬時に引き抜くことが可能となるので、シュレッダーの投入口における安全性が高められる。
【００１３】
請求項２に係る発明によれば、階段部を壁面部材の裏面部に設け、この階段部の近傍に設けられた凹部に、ロック部材に設けられた凸部が収容されるようにしたので、簡単な構造の部材によって、壁面部材とロック部材との嵌合を維持した状態で、階段部に係止部が順次係止されるようにできる。
また、壁面部材の凹部とロック部材の凸部との形状を調節することで、壁面部材とロック部材との嵌合状態を調節することができるようになるので、例えば、拡幅された際の通路の幅が指の厚みよりも小さくなるように壁面部材の凹部の内部形状を設計することで、作業者の指が挿入された際に、指を引き抜く為に必要な分だけ拡幅され、指の進入が可能となる程度にまで拡幅されないようにすることもできる。
【００１４】
請求項３に係る発明は、請求項２に係る発明において、階段部を、壁面部材が取り付けられている側から投入口の側に向けて突出高さが高くなるように構成し、壁面部材がハウジング本体に取り付けられた初期状態において、壁面部材の取り付け側に位置する最下段に係止部が係止されるようにしたので、壁面部材が通路を拡幅させる方向（即ち、取り付けられる側）へと変位するに従って、ハウジング本体から離れる側（壁面部材の表側）に壁面部材を移動させることができる。これによって、通路が拡幅されるに従い、ロック部材から離反される方向へと壁面部材を変位させることができ、壁面部材がロック部材から取り外され易くなる。
【００１５】
請求項４に係る発明は、請求項２又は請求項３の発明において、ロック部材を、凸部を上方に向けた状態でハウジング本体の側壁面に配設し、その凸部が壁面部材の凹部に収容されることによって、壁面部材によってシュレッダーのハウジングの上面が形成されるようにしたので、簡単な構造の部材によって、ハウジングの上面に投入口を有するシュレッダーを実現することが可能となる。
請求項５に係る発明は、壁面部材とロック部材との嵌合状態を解除するロック解除手段を設けたので、壁面部材を着脱できるようにすることもできる。これによって、万一、被細断物が細断刃に噛み込まれてしまった場合、壁面部材をハウジング本体から取り外したり、大きく離反させたりすることで、噛み込まれた被細断物を容易に取り除くことができるようにできる。
【００１６】
請求項６に係る発明は、請求項５に係る発明において、ロック部材を前記壁面部材の方向に付勢する弾性部材をハウジング本体との間に介装すると共に、この弾性部材による付勢力を解除するための操作部を設けたので、簡単な構成の部材によって、壁面部材とロック部材との嵌合状態を解除することができる。
請求項７に係る発明は、導入面と対向配置されることによって所定幅の通路を形成する通路面を、壁面部材の裏面に形成したので、壁面部材がハウジング本体に取り付けられた際に、２つの平面によって被細断物の通路を規制することができる。これによって、被細断物を円滑に細断刃へと導くことができる。
【発明を実施するための最良の形態】
【００１７】
本発明の好適な実施形態について、添付図面に基づいて説明する。なお、実施形態は以下の形態に限定されるものではなく、本発明の課題を解決し得るものであれば、他の態様も可能である。
【００１８】
図１は、本発明の実施形態に係るシュレッダーの投入口構造１を示す断面図である。この投入口構造１は、図２に示すシュレッダー２の投入口３に適用されるものである。
図２は、シュレッダー２の横方向中央部を切断した状態を表した図であり、図１（ａ）は、図２の投入口３の部分を示す要部断面図であり、図１（ｂ）は、図２のＡ−Ａ線に沿ってシュレッダー２を切断した状態を示す要部断面図である。
先ず、本発明に係る投入口構造１が適用されるシュレッダー２について説明する。
【００１９】
このシュレッダー２は、紙やコンパクトディスクなどのシート状の物を細断するものであり、投入口３から投入された被細断物を、ハウジング内部に設けられた細断部５で細かく裁断し、細断部５の下方に設けられた屑収容箱６に排出するようになっている。
【００２０】
シュレッダー２のハウジングは、ハウジング本体４と壁面部材１０とによって構成されており、ハウジング本体４の正面側からハウジング内部に向かう導入面４１と、ハウジング本体４の背面側に取り付けられた壁面部材１０との間の間隙（即ち、投入口３）に被細断物を挿入するようになっている。なお、図３は、壁面部材１０を取り外した状態のハウジング本体４を示している。
【００２１】
ハウジング内部においては、投入口３から細断部５へと向かう通路９が形成されており、通路９の下方に、細断処理を行なうための細断部５がフレーム７に固定されて配設されている。
細断部５は、被細断物を縦方向に裁断する第１の回転刃５１と、斜め方向に裁断する第２の回転刃５８とからなるものである。
投入口３からの通路９に連続して配置される第１の回転刃５１は、図４に示すように、２つの回転刃５１ａ、５１ｂを、回転刃ケース５４ａ，５４ｂに収容した状態で対向配置したものである。これらの回転刃５１ａ，５１ｂは、図５に示すように、回転軸５２にディスク状の丸刃５３を等間隔に配設したものであり、軸線方向を水平にして並列されている。
【００２２】
回転刃５１のディスク状の丸刃５３は、図６に示すように、周面に鋭利な刃部を有する薄刃５５をディスク状のスペーサ５６の両側に貼り付けたもので、夫々の薄刃５５の周縁部において被細断物を巻き込みながら縦方向に裁断するようになっている。なお、回転刃ケース５４は、１つの丸刃５３が収容される凹部５７を有する単位ケース５４’を、凹部５７を同方向に向けた状態で複数接合することによって構成されたものである。この場合、単位ケース５４’の凹部５７は、丸刃５３の周縁部がケースから一部露出されるような形状に形成されており、その露出された丸刃５３ａ，５３ｂの周縁部が相互に接触されるように、２本の回転刃５１ａ，５１ｂを並べて配置している（図４参照）。
【００２３】
なお、この単位ケース５４’は、ＡＢＳ樹脂等の合成樹脂によって成形されている。このように、回転刃ケース５４を合成樹脂製の材料で形成することによって、回転刃５１が回転刃ケース５４に接触した場合であっても、刃先が破損することがないので、丸刃５３と凹部５７との間に隙間が殆ど生じないような形状に成型することが可能となる。
これによって、細断中に丸刃５３の刃先に細断屑や切子が付着した際に、ケースの縁部で細断屑等が掻き落とされるので、刃とケースの間に細断屑が詰まるのを防止できる。
【００２４】
また、回転刃ケース５４に覆われた回転刃５１を並列配置した際に、図４に示すように、夫々の回転刃ケース５４ａ，５４ｂの間の隙間Ｍが、幼児の指の厚みよりも狭くなるように、双方の回転刃５１ａ，５１ｂを接近させて配置している。なお、幼児の指の厚みとは、図７に示す長さＮであり、例えば２ｍｍ程度の隙間Ｍに設計するのが好ましい。
このように、回転刃５１ａ，５１ｂを並列配置した際に、丸刃５３ａ，５３ｂの刃先が相互に接触した状態で露出される空間部を幼児の指が入らないような隙間Ｍとすることで、作業者の指が回転刃５１に直接触れることがないようにしている。
【００２５】
第１の回転刃５１の下方には、第１の回転刃５１によって縦方向に裁断された被細断物を斜め方向に切断するための第２の回転刃５８が配設されており、その下方に、屑収集箱６が引き出された際に生じた空間部から手が回転刃５８の方向に挿入されるのを防止するためのガード部材５９が配設されている（図１参照）。
第１及び第２の回転刃５１，５８は、導入面４１に設けられた図示しないセンサが被細断物の通過を検知することによって回転される。第１及び第２の回転刃５１，５８を回転させるための駆動モータは、ハウジング本体４に設けられた図示しない電源スイッチをＯＮにすることによって閉じる電源回路に接続されている。
また、ハウジング本体４の内壁面には、壁面部材１０の変位を検出するマイクロスイッチ８が取り付けられており、壁面部材１０の変位によって通路９が拡幅された際に、回転刃５１，５８が停止されるようになっている。
【００２６】
次に、このシュレッダー２に適用される投入口構造１について詳述する。
この投入口構造１は、投入口３に向かう壁面を構成する壁面部材１０を、ロック部材２０を介して、図３に示すハウジング本体４に着脱可能に取り付けたものである。
即ち、ハウジング本体４の上面は、背面側の領域が大きく開口されており、正面側から中央部に向けて導入面４１が形成されている。この導入面４１は、ハウジング内部に向けて滑らかに湾曲する曲面からなるもので、後述する壁面部材１０の通路面１４と対向配置されることによって、被細断物の通路９を形成する。
【００２７】
このハウジング本体４の導入面４１を覆うように壁面部材１０が取り付けられる。
以下、壁面部材１０の構成を、図８，図９を参照して説明する。
壁面部材１０は、ハウジング本体４に取り付けられた際に、その上面部１１において投入口３に向かう壁面を構成するものであるが、投入口側１２の裏面部には、通路面１４が形成されている。
この通路面１４は、ハウジング本体４の導入面４１と対向配置されることによって所定幅の通路９を形成するものであり、導入面４１の湾曲形状に対応した形状を成している。
【００２８】
一方、壁面部材１０が取り付けられる背面部側１３の裏面部には、嵌合凹部１５と階段部１６が形成されている。
即ち、背面部側１３の裏面部には、横方向中央部に嵌合凹部１５が形成され（図９（ａ）参照）、その両側に隣接して、階段部１６，１６が形成されている（図９（ｂ）参照）。
中央に形成された嵌合凹部１５は、図１（ａ）に示すように、後述するロック部材２０の嵌合凸部２１を収容することで、壁面部材１０とロック部材２０との嵌合状態を維持させるための部位である。
【００２９】
この嵌合凹部１５は、壁面部材１０が変位した場合であっても、ロック部材２０の嵌合凸部２１が遊嵌される大きさの内側形状を有する（図１４（ａ），図１５（ａ）参照）。
この場合、嵌合凹部１５を構成する内壁１５ａを、横方向からの外力によっては嵌合凸部２１が跳び出すことがないような高さに設計することで、通路９が拡幅される方向（即ち、シュレッダー２の背面側に向かう方向）に外力が加わった際に、壁面部材１０がハウジング本体４から過度に離反されない範囲で、壁面部材１０を変位させることが可能となる（図１５（ａ）参照）。
【００３０】
なお、壁面部材１０の斜め上方への変位をガイドするためのガイド溝１８が壁面部材１０の側壁部に形成されており、そのガイド溝１８を、ハウジング本体４の側壁内側に設けられた突起４２（図３参照）がスライドするようになっている。
また、壁面部材１０の嵌合凹部１５の形状は、壁面部材１０が通路９を拡幅する方向に離反された際に、通路９の終端部における通路幅Ｌ（図１５参照）が、指の厚みよりも大きくならないよう（例えば９ｍｍ程度）に設計されている。
【００３１】
嵌合凹部１５の両側には、階段部１６が形成されている。この階段部１６は、壁面部材１０が取り付けられている背面部側１３から投入口１３の側に向けて突出高さが高くなるような階段状に形成されている。この階段部１６の段差は、通路９が拡幅される方向に外力が加えられることによって、後述するロック部材２０の係止部２２に、夫々の段差部が係止しながら移動可能な程度の高さ（例えば１ｍｍ程度）に設計されている。この階段部１６の角部にアールをつけることで、係止部２２上を滑らかに移動できるようにしておくとよい。
【００３２】
このようにして、壁面部材１０がハウジング本体４に取り付けられた初期状態においては、図１（ｂ）に示すように、壁面部材１０の取り付け側に位置する始段部１６ａに係止部２２が係止され、壁面部材１０が背面部側１３に向けて変位することによって、階段部１６の夫々の段差が係止部２２に係止していき、ロック部材２０の嵌合凸部２１が壁面部材１０の嵌合凹部１５の内壁１５ａに当接することによって、壁面部材１０の変位量を規制できるように構成する。
【００３３】
次に、ロック部材２０の構成を説明する。
ロック部材２０は、ハウジング本体４に壁面部材１０を着脱可能に取り付けるためのもので、ハウジング本体４の背面側の上部に配設されている。
このロック部材２０は、図１０及び図１１に示すように、縦方向に長い板状部材であって、上縁部の中央に嵌合凸部２１を突設し、その両側に係止部２２，２２を形成している。嵌合凸部２１は、壁面部材１０の嵌合凹部１５と嵌合する部位で、係止部２２，２２は、壁面部材１０の階段部に係止される部位である。
【００３４】
ロック部材２０は、嵌合凸部２１を上方に向けた状態でハウジング本体４の側壁面の内側に配設される。この嵌合凸部２１が壁面部材１０の嵌合凹部１５に嵌め込まれることによって、壁面部材１０がハウジング本体４に取り付けられ、シュレッダーのハウジングの上面が構成される（図１（ａ）参照）。この際、ロック部材２０の係止部２２は壁面部材１０の階段部１６の始段部１６ａに位置することとなる（図１（ｂ）参照）。
【００３５】
係止部２２の下方には、後述するスプリング３０、３０を取り付けるための空間部２３，２３が形成されており、その反対側の面には、スプリング３０，３０によって上方に付勢されたロック部材２０を下方に変位させるための操作部２４が形成されている。
ロック部材２０の空間部２３には、弾性部材としてのスプリング３０が配設される。このスプリング３０の下端部は、図３に示すように、ハウジング本体４の背面部に設けられた取付部３１の筒状部材に嵌め込まれており、ロック部材２０を上方に付勢している。
【００３６】
ハウジング本体４の取付部３１の近傍には、小さな孔３２が開設されており、その孔３２からロック部材の操作部２４がハウジング外部に露呈されるようになっている。
ロック部材２０の操作部２４を下方に押し下げた状態で、壁面部材１０を斜め上方に持ち上げることで、ロック部材２０の嵌合凸部２１が壁面部材１０の嵌合凹部１５から抜け出し、ロック部材２０と壁面部材１０との嵌合状態が解除される。
【００３７】
上記構成の投入口構造１の使用状態を、図１及び図１２〜図１６を使用して説明する。
細断作業を行う際には、図１３（ａ）の状態の投入口３に、被細断物を投入する。被細断物は導入面４１を滑り落ち、ハウジング内部の第１の回転刃５１に巻き込まれながら縦方向に裁断される。そして、第２の回転刃５８で斜め方向に裁断されることによって細かく裁断されていく。
【００３８】
この際、被細断紙などが多量に投入口に挿入された場合は、壁面部材１０に対して水平方向に外力が加わるので、図１３（ｂ）に示すように、壁面部材１０の階段部１６の２段目、３段目の段差が係止部２２に係止し（図１４（ｂ）参照）、被細断物の通路９が少し拡幅される。通路９が拡幅されることによって被細断紙の枚数が多すぎたことを知った作業者は、搬送されようとする被細断紙を瞬時に引き抜くこととなるが、この際、通路９が拡幅されているので、被細断紙を容易に引き抜くことができる。この際の壁面部材１０とロック部材２０の嵌合状態は、図１４（ａ）に示すようになっている。
【００３９】
また、万一、被細断物９と共に投入口３に作業者の指などが挿入されてしまった場合、壁面部材１０に対して大きな外力が加わるので、壁面部材１０の階段部１６の夫々の段差が、ロック部材２０の係止部２２に係止ししつつ移動し（図１５（ｂ）参照）、被細断物の通路９が大きく拡幅される。
このように、被細断物と共に指などがハウジング内部に挿入された場合において、特に通路９が狭窄している場合などは、指が通路９に挟まった状態で更にハウジング内部へと引き込まれてしまうが、壁面部材１０を変位させて通路９を拡幅することによって、瞬時に指を引き抜くことができるようになる。
【００４０】
この際、図１５（ａ）に示すように、壁面部材１０とロック部材２０との嵌合が維持された状態であり、壁面部材１０の移動範囲が規制されているので、壁面部材１０が過度に離反し、その隙間から指が勢いよく進入するのを防止できる。
本実施例では、壁面部材１０が変位された際の通路９終端部の最大幅Ｌが、幼児の指の厚みよりも大きくならないように、壁面部材１０の嵌合凹部１５を設計しているので、壁面部材１０に過度の外力が加わった場合にでも、指の進入が許容されるまで通路９が拡幅されることはない。これによって、意図的に指を投入口３に挿入した場合であっても、通路の終端部において指の進入が規制されるので、指が細断部５に到達することを防止できる。
【００４１】
細断作業中に、被細断物が細断刃５１に噛み込まれてしまった場合は、図１２（ｂ）及び図１６（ａ）に示すように、ロック部材２０の操作部２４を下方に押し下げることによって、スプリング３０を圧縮させて、嵌合凹部１５から引き抜かれる位置まで、ロック部材２０の嵌合凸部２１を下降させる。そして、壁面部材１０を更に斜め上方に移動させ、図１６（ｂ）に示すロック解除位置で停止させる。このようにして壁面部材１０とロック部材２０との嵌合状態を解除することができるので、壁面部材１０をハウジング本体４に対して大きく離反させ、噛み込まれた被細断物を取り除くことが可能となる。
【００４２】
なお、本発明において段差部は、壁面部材かロック部材かの何れか一方に設けられておればよく、例えば、図１７に示すように、ロック部材２０の側に設けてよい。この際、壁面部材１０にも設けられた係止部１９は、この階段部２６の夫々の段差が係止可能な構造であれば如何なる構成でもよい。
また、壁面部材とロック部材との嵌合が維持される構造であれば、壁面部材に嵌合凸部を設け、ロック部材に嵌合凹部を設けてもよい。また、階段部の最終段に係止部が係止されることによって、ロック部材と壁面部材との嵌合状態が維持されるように構成してもよい。
【００４３】
また、本実施形態は、ロック部材２０の嵌合凸部２１を上方に向けた状態でハウジング本体４の側壁面（即ち、背面部）に設け、その嵌合凸部２１に壁面部材１０の裏面に設けられた嵌合凹部１５を嵌め込んだが、嵌合凸部と嵌合凹部とが横方向に嵌めこまれるようにしてもよいし、更に複雑な嵌合状態にしてもよい。
また、ロックを解除する手段を設けず、壁面部材が嵌め込まれたまま外れないようにしてもよいし、壁面部材１０がハウジング本体４から取り外せるようにしてもよい。
【００４４】
また、シュレッダーの投入口をハウジング側面に設け、壁面部材によってハウジングの側面部が構成されるようにしてもよい。なお、壁面部材の形状や配設状態によっては、階段部の段差が水平方向に並ぶこともある。
更には、壁面部材１０の裏面に通路面を形成するのではなく、図１７に示すように、リブ１４’によって通路から外れるのを防止するようにしてもよいし、或いは導入面４１の上を滑り落ちる構造の通路の場合は、通路の上方を規制する必要もない。
【産業上の利用可能性】
【００４５】
本発明は、家庭用、事務用、工業用等のあらゆる産業分野で使用されるシュレッダーの投入口に適用することができる。
【図面の簡単な説明】
【００４６】
【図１】本発明の実施形態に係るシュレッダーの投入口構造を示す要部断面図であり、（ａ）はシュレッダーの横方向中央部を切断したもので、（ｂ）はその近傍を切断したものである。
【図２】上記投入口構造の適用されるシュレッダーを示す断面斜視図である。
【図３】壁面部材を取り外した状態のハウジング本体４を示す斜視図である。
【図４】第１の回転刃を示す正面図である。
【図５】上記回転刃の構成を示す斜視図である。
【図６】上記回転刃の構成を示す説明図である。
【図７】指の厚みを示す説明図である。
【図８】壁面部材を裏面側から見た状態の斜視図である。
【図９】壁面部材の断面図であり、（ａ）は嵌合凹部の断面形状を示し、（ｂ）は階段部の断面形状を示す。
【図１０】ロック部材を外側から見た状態を示す斜視図である。
【図１１】ロック部材を内側から見た状態を示す斜視図である。
【図１２】シュレッダーの横方向中央部を切断した状態を示す要部断面斜視図であり、（ａ）は投入口に厚みのあるものが挿入された状態を示し、（ｂ）はロック部材を解除する状態を示す。
【図１３】図２のＡ−Ａ線を切断した状態を示す要部断面斜視図であり、示す要部断面斜視図であり、（ａ）は初期状態を示し、（ｂ）は投入口に厚みのあるものが挿入された状態を示し、（ｃ）はロック部材を解除して壁面部材を大きく引き離した状態を示す。
【図１４】投入口に厚みのある物が挿入されて押圧部材に外圧が加わった際の投入口構造を示し、（ａ）はシュレッダーの横方向中央部を切断したもので、（ｂ）はその近傍を切断したものである。
【図１５】投入口に指などが挿入されて押圧部材に大きな外圧が加わった際の投入口構造を示し、（ａ）はシュレッダーの横方向中央部を切断したもので、（ｂ）はその近傍を切断したものである。
【図１６】ロック部材を解除する際の投入口構造を示し、（ａ）は、ロック解除操作時におけるシュレッダーの横方向中央部を切断したもので、（ｂ）は、壁面部材をシュレッダー本体から大きく引き引き離した状態において、中央部近傍を切断したものである。
【図１７】本発明の壁面部材とロック部材の変形例を示す断面図である。
【符号の説明】
【００４７】
１・・・投入口構造
２・・・シュレッダー
３・・・投入口
４・・・ハウジング本体
５・・・細断部
６・・・屑収容箱
７・・・フレーム
８・・・マイクロスイッチ
９・・・通路
１０・・・壁面部材
１１・・・上面
１２・・・投入口側
１３・・・背面部側
１４・・・通路面
１４’・・・リブ
１５・・・嵌合凹部
１６・・・階段部
１８・・・ガイド溝
１９・・・係止部
２０・・・ロック部材
２１・・・嵌合凸部
２２・・・係止部
２３・・・空間部
２４・・・操作部
２６・・・階段部
３０・・・スプリング（弾性部材）
３１・・・取付部
３２・・・孔
４１・・・導入面
４２・・・突起
５１・・・第１の回転刃
５２・・・回転軸
５３・・・丸刃
５４・・・回転刃ケース
５４‘・・・単位ケース
５５・・・薄刃
５６・・・スペーサ
５７・・・凹部
５８・・・第２の回転刃
５９・・・ガード部材
【図１】
2008114193.tif 000003
【図２】
2008114193.tif 000004
【図３】
2008114193.tif 000005
【図４】
2008114193.tif 000006
【図５】
2008114193.tif 000007
【図６】
2008114193.tif 000008
【図７】
2008114193.tif 000009
【図８】
2008114193.tif 000010
【図９】
2008114193.tif 000011
【図１０】
2008114193.tif 000012
【図１１】
2008114193.tif 000013
【図１２】
2008114193.tif 000014
【図１３】
2008114193.tif 000015
【図１４】
2008114193.tif 000016
【図１５】
2008114193.tif 000017
【図１６】
2008114193.tif 000018
【図１７】
2008114193.tif 000019